(57)【要約】【課題】本発明は、簡便な構成で、核燃料貯蔵ラックの水平方向の移動及びロッキングを抑制することの可能な核燃料貯蔵設備を提供することを目的とする。【解決手段】核燃料貯蔵用ピット１１の壁部３１〜３４の内側面３１ａ〜３４ａと接触する壁側ラックセル群５５，６１，６４，６６，７２，７５，７８，８１と、壁側ラックセル群５５，６１，６４，６６，７２，７５，７８，８１の内側に配置されたラックセル５３で構成された収容用ラックセル群５６，６２，６５，６７，７３，７６，７９，８２と、収容用ラックセル群５６，６２，６５，６７，７３，７６，７９，８２のラックセル５３のみに収容された核燃料棒５９と、を備える。【選択図】図１
2019007792.tif 000002
【特許請求の範囲】
【請求項１】
内部に水が貯留された核燃料貯蔵用ピットと、
前記核燃料貯蔵用ピット内の水中に配置されて、鉛直方向に延びる内側空間を有するラックセルが格子状に複数配置された核燃料貯蔵ラックと、
を備え、
前記核燃料貯蔵ラックは、複数の前記ラックセルのうち、前記核燃料貯蔵用ピットの壁部の内側面側に配置されたラックセルで構成された壁側ラックセル群、及び前記壁側ラックセル群の内側に配置されたラックセルで構成された収容用ラックセル群を有しており、
前記壁側ラックセル群は、前記核燃料貯蔵用ピットの壁部の内側面と接触しており、
前記壁側ラックセル群と前記収容ラックセル群とのうち、前記収容ラックセル群のラックセルのみに収容された使用済み核燃料をさらに備える核燃料貯蔵設備。
【請求項２】
前記核燃料貯蔵ラックは、複数設けられており、
互いに隣り合う前記核燃料貯蔵ラックを連結する連結部材を備える請求項１記載の核燃料貯蔵設備。
【請求項３】
前記核燃料貯蔵用ピットの壁部は、複数設けられており、
複数の前記壁部の内側面は、複数の前記核燃料貯蔵ラックのうち、いずれかの核燃料貯蔵ラックと接触している請求項２記載の核燃料貯蔵設備。
【請求項４】
前記壁側ラックセル群を構成する前記ラックセルに配置され、前記使用済み核燃料から放出される放射線を遮蔽する放射線遮蔽部材を備える請求項１から３のうち、いずれか一項記載の核燃料貯蔵設備。
【請求項５】
前記壁側ラックセル群は、前記壁部の内側面側に設けられた切欠き部を有する請求項１から４のうち、いずれか一項記載の核燃料貯蔵設備。
【請求項６】
前記核燃料貯蔵ラックのうち、互いに隣り合う核燃料貯蔵ラックの間に配置されたスペーサを備える請求項２から４のうち、いずれか一項記載の核燃料貯蔵設備。
【請求項７】
前記核燃料貯蔵ラックのうち、互いに隣り合う核燃料貯蔵ラックの間に挟み込まれた弾性体を備える請求項２から６のうち、いずれか一項記載の核燃料貯蔵設備。
【請求項８】
前記壁側ラックセル群は、前記収容用ラックセル群に対して着脱可能な構成である請求項１から７のいずれか一項記載の核燃料貯蔵設備。
【発明の詳細な説明】
【技術分野】
【０００１】
本発明は、核燃料貯蔵設備に関する。
【背景技術】
【０００２】
原子炉から取り出された使用済み核燃料は、再利用施設に搬出するまでの間、原子力発電所内の核燃料貯蔵用ピットにおいて貯蔵及び冷却される。
具体的には、核燃料貯蔵用ピット内の水中に配置された核燃料貯蔵ラックに使用済み核燃料棒を収容させることで、使用済み核燃料の貯蔵及び冷却を行う。
【０００３】
核燃料貯蔵ラックとしては、核燃料貯蔵用ピットの壁や床に固定されていないフリースタンディングラックがある（例えば、特許文献１参照。）。フリースタンディングラックは、核燃料貯蔵用ピット内に複数配置されている。互いに隣り合うフリースタンディングラックは、連結部材により連結されている。
【０００４】
特許文献１には、核燃料貯蔵用ピットの底面から鉛直方向に突出するとともに、ラックと嵌号するラック支持構造物を設けることが開示されている。ラックは、核燃料貯蔵用ピットの壁部から離間した状態で、核燃料貯蔵用ピット内に配置されている。
【先行技術文献】
【特許文献】
【０００５】
【特許文献１】特開２０１５−１９７３３４号公報
【発明の概要】
【発明が解決しようとする課題】
【０００６】
しかしながら、特許文献１の場合、地震等によりラックが水平方向に大きな力を受けた際にラック支持構造物が破損する可能性があった。このように、ラック支持構造物が破損すると、ラックが水平方向に移動してラックが核燃料貯蔵用ピットの壁部に衝突することで、核燃料貯蔵用ピットの壁部が破損する恐れがあった。
【０００７】
また、核燃料貯蔵用ピットの壁部から離間した状態で、核燃料貯蔵用ピット内にラックを配置することで、地震等によりラックがロッキングして、核燃料貯蔵用ピットの底部（床）が破損する恐れがあった。
さらに、特許文献１では、核燃料貯蔵用ピットの底面にラック支持構造物を設ける必要あるため、煩雑であった。
【０００８】
そこで、本発明は、簡便な構成で、核燃料貯蔵ラックの水平方向の移動及びロッキングを抑制可能な核燃料貯蔵設備を提供することを目的とする。
【課題を解決するための手段】
【０００９】
上記課題を解決するため、本発明の一態様に係る核燃料貯蔵設備は、内部に水が貯留された核燃料貯蔵用ピットと、前記核燃料貯蔵用ピット内の水中に配置されて、鉛直方向に延びる内側空間を有するラックセルが格子状に複数配置された核燃料貯蔵ラックと、を備え、前記核燃料貯蔵ラックは、複数の前記ラックセルのうち、前記核燃料貯蔵用ピットの壁部の内側面側に配置されたラックセルで構成された壁側ラックセル群、及び前記壁側ラックセル群の内側に配置されたラックセルで構成された収容用ラックセル群を有しており、前記壁側ラックセル群は、前記核燃料貯蔵用ピットの壁部の内側面と接触しており、前記壁側ラックセル群と前記収容ラックセル群とのうち、前記収容ラックセル群のラックセルのみに収容された使用済み核燃料をさらに備える。
【００１０】
本発明によれば、核燃料貯蔵用ピットの壁部の内側面側に配置され、核燃料貯蔵用ピットの壁部の内側面と接触する壁側ラックセル群を有することで、壁部の内側面と壁側ラックセル群の側面とを面接触させることが可能となる。これにより、簡便な構成で、核燃料貯蔵ラックの水平方向の移動、及び核燃料貯蔵ラックのロッキングの発生を抑制することができる。
【００１１】
また、壁側ラックセル群と収容ラックセル群とのうち、壁側ラックセル群の内側に配置された収容用ラックセル群のラックセルのみに使用済み核燃料を収容させることで、使用済み核燃料と核燃料貯蔵用ピットの壁部の内側面との距離を十分に確保することが可能となる。これにより、安全性を確保した上で、核燃料貯蔵用ピットの壁部の内側面と壁側ラックセル群とを接触させることができる。
【００１２】
また、上記本発明の一態様に係る核燃料貯蔵設備において、前記核燃料貯蔵ラックは、複数設けられており、互いに隣り合う前記核燃料貯蔵ラックを連結する連結部材を備えてもよい。
【００１３】
このように、互いに隣り合う核燃料貯蔵ラックを連結する連結部材を備えることで、複数の核燃料貯蔵ラックが連結されるため、各核燃料貯蔵ラックがばらばらに移動することを抑制可能となる。これにより、地震等の発生により、複数の核燃料貯蔵ラックに滑りが生じた際、複数の核燃料貯蔵ラックの側面により壁部の内側面が押圧されることになるので、核燃料貯蔵用ピットの破損を抑制することができる。
【００１４】
また、上記本発明の一態様に係る核燃料貯蔵設備において、前記核燃料貯蔵用ピットの壁部は、複数設けられており、複数の前記壁部の内側面は、複数の前記核燃料貯蔵ラックのうち、いずれかの核燃料貯蔵ラックと接触していてもよい。
【００１５】
このように、核燃料貯蔵用ピットの複数の壁部の内側面が複数の核燃料貯蔵ラックのうち、いずれかの核燃料貯蔵ラックと接触することで、複数の核燃料貯蔵ラックよりなるラック群の周囲（側面）と核燃料貯蔵用ピットの壁部の内側面とを接触させることが可能となる。
これにより、簡便な構成で、複数の核燃料貯蔵ラックの水平方向の移動、及び複数の核燃料貯蔵ラックのロッキングの発生を抑制することができる。
【００１６】
また、上記本発明の一態様に係る核燃料貯蔵設備において、前記壁側ラックセル群を構成する前記ラックセルに配置され、前記使用済み核燃料から放出される放射線を遮蔽する放射線遮蔽部材を備えてもよい。
【００１７】
このように、壁側ラックセル群を構成するラックセルに配置された放射線遮蔽部材を備えることで、使用済み核燃料から放出される放射線を遮蔽することが可能となる。これにより、核燃料貯蔵用ピットの壁部の内側面から収容用ラックセル群に向かう方向に配置される壁側ラックセル群を構成するラックセルの数を少なくすることが可能となる。つまり、収容用ラックセル群を構成するラックセルの数を増加させることが可能となる。これにより、収容用ラックセル群に収容可能な使用済み核燃料（核燃料棒）の数を増加させることができる。
【００１８】
また、上記本発明の一態様に係る核燃料貯蔵設備において、前記壁側ラックセル群は、前記壁部の内側面側に設けられた切欠き部を有してもよい。
【００１９】
このように、壁側ラックセル群が壁部の内側面側に設けられた切欠き部を有することで、壁部の内側面に構造物が設けられている場合でも構造物を避けて、壁側ラックセル群の側面と壁部の内側面とを接触させることができる。
【００２０】
また、上記本発明の一態様に係る核燃料貯蔵設備において、前記核燃料貯蔵ラックのうち、互いに隣り合う核燃料貯蔵ラックの間に配置されたスペーサを備えてもよい。
【００２１】
このように、互いに隣り合う核燃料貯蔵ラックの間に配置されたスペーサを備えることで、核燃料貯蔵ラックが熱伸びを考慮した上で、核燃料貯蔵用ピットの壁部の内側面と壁側ラックセル群との間に隙間が形成されることを抑制できる。
【００２２】
また、上記本発明の一態様に係る核燃料貯蔵設備において、前記核燃料貯蔵ラックのうち、互いに隣り合う核燃料貯蔵ラックの間に挟み込まれた弾性体を備えてもよい。
【００２３】
このように、互いに隣り合う核燃料貯蔵ラックの間に挟み込まれた弾性体を備えることで、核燃料貯蔵用ピットの壁部の内側面に対して壁側ラックセル群の側面が押圧された状態を維持することが可能となる。これにより、核燃料貯蔵用ピットの壁部の内側面と壁側ラックセル群との間に隙間が形成されることを抑制できる。
【００２４】
また、上記本発明の一態様に係る核燃料貯蔵設備において、前記壁側ラックセル群は、前記収容用ラックセル群に対して着脱可能な構成であってもよい。
【００２５】
このように、収容用ラックセル群に対して壁側ラックセル群を着脱可能な構成とすることで、壁側ラックセル群が破損した場合、壁側ラックセル群のみを交換すればよいため、コストを低減することができる。
【発明の効果】
【００２６】
本発明によれば、簡便な構成で、核燃料貯蔵ラックの水平方向の移動及びロッキングを抑制することができる。
【図面の簡単な説明】
【００２７】
【図１】本発明の第１の実施形態に係る核燃料貯蔵設備の概略構成を模式的に示す平面図である。
【図２】図１に示す核燃料貯蔵設備のＡ１−Ａ２線方向の断面図である。
【図３】図１に示す核燃料貯蔵ラックの斜視図である。
【図４】図３に示す領域Ｂに対応する部分の側面図である。
【図５】本発明の第２の実施形態に係る核燃料貯蔵設備の概略構成を模式的に示す平面図である。
【図６】本発明の第３の実施形態に係る核燃料貯蔵設備の概略構成を模式的に示す平面図である。
【図７】本発明の第４の実施形態に係る核燃料貯蔵ラックの平面図である。
【図８】本発明の第５の実施形態に係る核燃料貯蔵設備の概略構成を模式的に示す平面図である。
【発明を実施するための形態】
【００２８】
以下、図面を参照して本発明を適用した実施の形態について詳細に説明する。
【００２９】
（第１の実施形態）
図１〜図４を参照して、第１の実施形態の核燃料貯蔵設備１０について説明する。図２では、図１に示す核燃料貯蔵ラック２４を簡略化して図示する。図３は、図１に示す核燃料貯蔵ラック２１〜２９のうち、核燃料貯蔵ラック２４，２５の斜視図である。図３では、一部を切欠いた状態で核燃料貯蔵ラック２４を図示する。
図１、及び図３において、Ｘは核燃料貯蔵用ピット１１の幅方向を示している。図１〜図４において、Ｙ方向はＸ方向に対して直交する核燃料貯蔵用ピット１１の長さ方向を示している。図２〜図４において、Ｚ方向はＸ方向及びＹ方向に対して直交する鉛直方向を示している。図１〜図４において、同一構成部分には同一符号を付す。
【００３０】
第１の実施形態の核燃料貯蔵設備１０は、核燃料貯蔵用ピット１１と、核燃料貯蔵ラック２１〜２９と、複数の連結部材３０と、を有する。
【００３１】
核燃料貯蔵用ピット１１は、冷却用の水３６が貯留されたピット（プール）である。核燃料貯蔵用ピット１１は、壁部３１〜３４と、底部３５と、を有する。
壁部３１は、Ｙ方向に対して直交し、かつＸ方向及びＺ方向に延在する内側面３１ａを有する。壁部３２は、Ｘ方向に対して直交し、かつＹ方向及びＺ方向に延在する内側面３２ａを有する。
【００３２】
壁部３３は、Ｙ方向に対して直交し、かつＸ方向及びＺ方向に延在する内側面３３ａを有する。内側面３３ａは、Ｙ方向において内側面３１ａと対向している。壁部３４は、Ｘ方向に対して直交し、かつＹ方向及びＺ方向に延在する内側面３４ａを有する。内側面３４ａは、Ｙ方向において内側面３２ａと対向している。壁部３１〜３４は、核燃料貯蔵用ピット１１の周囲を区画している。
【００３３】
底部３５は、壁部３１〜３４の下端部を連結している。底部３５は、Ｚ方向に対して直交し、かつＸ方向及びＹ方向に延在する底面３５ａを有する。底面３５ａは、核燃料貯蔵用ピット１１の底を区画している。
【００３４】
上記構成とされた核燃料貯蔵用ピット１１の深さは、核燃料貯蔵ラック２１〜２９の高さの値よりも深くなるように構成されている。
【００３５】
核燃料貯蔵ラック２１〜２９は、互いに隣り合うように、格子状に水平面方向（具体的には、Ｘ方向及びＹ方向）に配置されている。核燃料貯蔵ラック２１〜２９は、複数の連結部材３０で連結された状態で、核燃料貯蔵用ピット１１内に配置されている。
核燃料貯蔵ラック２１〜２９は、核燃料貯蔵用ピット１１の壁部３１〜３４及び底部３５に固定されていない状態で核燃料貯蔵用ピット１１の底面３５ａ上に配置されている。核燃料貯蔵ラック２１〜２９は、フリースタンディングラックである。核燃料貯蔵ラック２１〜２９は、水３６に浸漬されている。核燃料貯蔵ラック２１〜２９は、核燃料貯蔵ラック群２０を構成している。
【００３６】
ここで、核燃料貯蔵ラック２４について説明する。核燃料貯蔵ラック２４は、ベースプレート４０と、複数の脚部４１と、支持格子部材を構成する下部支持格子４３、中部支持格子４５、及び上部支持格子４７と、外周板４８，４９と、内側空間を有する複数のラックセル５３と、壁側ラックセル群５５と、収容用ラックセル群５６と、使用済み核燃料である核燃料棒５９と、を有する。
【００３７】
ベースプレート４０は、矩形とされた金属製の板材である。
複数の脚部４１は、ベースプレート４０の下面に設けられている。複数の脚部４１は、ベースプレート４０を支持している。複数の脚部４１は、底面３５ａ上に載置されている。
【００３８】
下部支持格子４３は、ベースプレート４０上に固定されている。下部支持格子４３は、Ｘ方向及びＹ方向に対して所定の間隔で配置された複数の板材で構成されている。下部支持格子４３の形状は、格子形状とされている。
下部支持格子４３は、Ｘ方向及びＹ方向に配置されている。下部支持格子４３は、ラックセル５３の下部（具体的には、下端）が挿入される四角柱形状とされた開口部を複数有する。下部支持格子４３は、水平面方向に配置され、かつＺ方向に延在する複数のラックセル５３の下部を支持する。
【００３９】
中部支持格子４５は、格子形状とされている。中部支持格子４５は、下部支持格子４３に支持された複数のラックセル５３の高さ方向における中部を支持するように設けられている。中部支持格子４５は、下部支持格子４３と同様な構成とされている。
【００４０】
上部支持格子４７は、格子形状とされている。上部支持格子４７は、先に説明した下部支持格子４３と同様な構成とされている。上部支持格子４７は、下部支持格子４３及び中部支持格子４５に支持された複数のラックセル５３の上部を支持する。
上述した下部支持格子４３、中部支持格子４５、及び上部支持格子４７よりなる支持格子部材は、複数のラックセル５３の水平面方向への移動や転倒を抑制する。
【００４１】
外周板４８は、下部支持格子４３の外枠と中部支持格子４５の外枠との間から露出された複数のラックセル５３の側面を四方から覆うように複数枚設けられている。
外周板４９は、中部支持格子４５の外枠と上部支持格子４７の外枠との間から露出された複数のラックセル５３の側面を四方から覆うように複数枚設けられている。
このように、核燃料貯蔵ラック２１〜２９が外周板４８，４９を有することで、地震の際、核燃料貯蔵ラック２１〜２９間の隙間において流体（水３６）が働き、核燃料貯蔵ラック群２０の減衰が大きくなるので、核燃料貯蔵用ピット１１に作用する荷重を低下させることができる。
【００４２】
複数のラックセル５３は、四角の筒形状とされている。複数のラックセル５３は、Ｘ方向及びＹ方向に所定の間隔で配置されている。複数のラックセル５３の上部の一部は、上部支持格子４７の上方に突出している。
【００４３】
壁側ラックセル群５５は、核燃料貯蔵用ピット１１の壁部３１の内側面３１ａ側に配置された複数のラックセル５３で構成されている。壁側ラックセル群５５を構成するラックセル５３には、核燃料棒５９が挿入されていない。
壁側ラックセル群５５は、核燃料貯蔵用ピット１１の壁部３１の内側面３１ａから所定の範囲内に配置されている。壁側ラックセル群５５は、核燃料棒５９を収容する収容用ラックセル群５６と壁部３１の内側面３１ａとを離間させる。
【００４４】
収容用ラックセル群５６は、壁側ラックセル群５５の内側に配置された複数のラックセル５３で構成されている。収容用ラックセル群５６を構成する複数のラックセル５３には、それぞれ核燃料棒５９が挿入されている。
【００４５】
次に、核燃料貯蔵ラック２１について説明する。核燃料貯蔵ラック２１は、壁部３１，３２の内側面３１ａ，３２ａと接触するように、壁部３１と壁部３２とが形成する角部に配置されている。
【００４６】
核燃料貯蔵ラック２１は、核燃料貯蔵ラック２４を構成する壁側ラックセル群５５及び収容用ラックセル群５６に替えて、壁側ラックセル群６１及び収容用ラックセル群６２を有すること以外は、核燃料貯蔵ラック２４と同様に構成されている。
【００４７】
壁側ラックセル群６１は、壁部３１，３２の内側面３１ａ，３２ａ側に配置された２列のラックセル５３で構成されている。壁側ラックセル群６１を構成する複数のラックセル５３には、核燃料棒５９が収容されていない。
収容用ラックセル群６２は、壁側ラックセル群６１よりも内側に配置された複数のラックセル５３で構成されている。収容用ラックセル群６２を構成する複数のラックセル５３には、それぞれ核燃料棒５９が収容されている。
【００４８】
次に、核燃料貯蔵ラック２２について説明する。核燃料貯蔵ラック２２は、壁部３２の内側面３２ａと接触し、かつＹ方向において核燃料貯蔵ラック２１と対向するように配置されている。
【００４９】
核燃料貯蔵ラック２２は、核燃料貯蔵ラック２４を構成する壁側ラックセル群５５及び収容用ラックセル群５６に替えて、壁側ラックセル群６４及び収容用ラックセル群６５を有すること以外は、核燃料貯蔵ラック２４と同様に構成されている。
【００５０】
壁側ラックセル群６４は、壁部３２の内側面３２ａ側に配置された２列のラックセル５３で構成されている。壁側ラックセル群６４を構成する複数のラックセル５３には、核燃料棒５９が収容されていない。
収容用ラックセル群６５は、壁側ラックセル群６４よりも内側に配置された複数のラックセル５３で構成されている。収容用ラックセル群６５を構成する複数のラックセル５３には、それぞれ核燃料棒５９が収容されている。
【００５１】
次に、核燃料貯蔵ラック２３について説明する。核燃料貯蔵ラック２３は、壁部３２，３３の内側面３２ａ，３３ａと接触するように、壁部３２と壁部３３とが形成する角部に配置されている。核燃料貯蔵ラック２３は、Ｙ方向において核燃料貯蔵ラック２２と対向している。
【００５２】
核燃料貯蔵ラック２３は、核燃料貯蔵ラック２４を構成する壁側ラックセル群５５及び収容用ラックセル群５６に替えて、壁側ラックセル群６６及び収容用ラックセル群６７を有すること以外は、核燃料貯蔵ラック２４と同様に構成されている。
【００５３】
壁側ラックセル群６６は、壁部３２，３３の内側面３３ａ，３３ａ側に配置された２列のラックセル５３で構成されている。壁側ラックセル群６６を構成する複数のラックセル５３には、核燃料棒５９が収容されていない。
収容用ラックセル群６７は、壁側ラックセル群６６よりも内側に配置された複数のラックセル５３で構成されている。収容用ラックセル群６７を構成する複数のラックセル５３には、それぞれ核燃料棒５９が収容されている。
【００５４】
次に、核燃料貯蔵ラック２５について説明する。核燃料貯蔵ラック２５は、核燃料貯蔵用ピット１１の中央部に配置されている。核燃料貯蔵ラック２５は、壁部３１〜３４の内側面３１ａ〜３４ａと接触していない。
核燃料貯蔵ラック２５は、Ｘ方向において核燃料貯蔵ラック２２と核燃料貯蔵ラック２８との間に配置されている。核燃料貯蔵ラック２５は、Ｙ方向において核燃料貯蔵ラック２４と核燃料貯蔵ラック２６との間に配置されている。
【００５５】
核燃料貯蔵ラック２５は、核燃料貯蔵ラック２４を構成する壁側ラックセル群５５及び収容用ラックセル群５６に替えて、収容用ラックセル群６９のみを有すること以外は、核燃料貯蔵ラック２４と同様に構成されている。
核燃料貯蔵ラック２５を構成する全てのラックセル５３が収容用ラックセル群６９を構成している。
【００５６】
次に、核燃料貯蔵ラック２６について説明する。核燃料貯蔵ラック２６は、Ｘ方向において核燃料貯蔵ラック２５と対向し、Ｙ方向において核燃料貯蔵ラック２３，２９と対向するように配置されている。核燃料貯蔵ラック２６は、壁部３３の内側面３３ａと接触している。
【００５７】
核燃料貯蔵ラック２６は、核燃料貯蔵ラック２４を構成する壁側ラックセル群５５及び収容用ラックセル群５６に替えて、壁側ラックセル群７２及び収容用ラックセル群７３を有すること以外は、核燃料貯蔵ラック２４と同様に構成されている。
【００５８】
壁側ラックセル群７２は、壁部３３の内側面３３ａ側に配置された２列のラックセル５３で構成されている。壁側ラックセル群７２を構成する複数のラックセル５３には、核燃料棒５９が収容されていない。
収容用ラックセル群７３は、壁側ラックセル群７２よりも内側に配置された複数のラックセル５３で構成されている。収容用ラックセル群７３を構成する複数のラックセル５３には、それぞれ核燃料棒５９が収容されている。
【００５９】
次に、核燃料貯蔵ラック２７について説明する。核燃料貯蔵ラック２７は、壁部３１，３４の内側面３１ａ，３４ａと接触するように、壁部３１と壁部３４とが形成する角部に配置されている。
【００６０】
核燃料貯蔵ラック２７は、核燃料貯蔵ラック２４を構成する壁側ラックセル群５５及び収容用ラックセル群５６に替えて、壁側ラックセル群７５及び収容用ラックセル群７６を有すること以外は、核燃料貯蔵ラック２４と同様に構成されている。
【００６１】
壁側ラックセル群７５は、壁部３１，３４の内側面３１ａ，３４ａ側に配置された２列のラックセル５３で構成されている。壁側ラックセル群７５を構成する複数のラックセル５３には、核燃料棒５９が収容されていない。
収容用ラックセル群７６は、壁側ラックセル群７５よりも内側に配置された複数のラックセル５３で構成されている。収容用ラックセル群７６を構成する複数のラックセル５３には、それぞれ核燃料棒５９が収容されている。
【００６２】
次に、核燃料貯蔵ラック２８について説明する。核燃料貯蔵ラック２８は、壁部３４の内側面３４ａと接触し、Ｘ方向において核燃料貯蔵ラック２５と対向するように配置されている。核燃料貯蔵ラック２８は、Ｙ方向において、核燃料貯蔵ラック２７と核燃料貯蔵ラック２９との間に配置されている。
【００６３】
核燃料貯蔵ラック２８は、核燃料貯蔵ラック２４を構成する壁側ラックセル群５５及び収容用ラックセル群５６に替えて、壁側ラックセル群７８及び収容用ラックセル群７９を有すること以外は、核燃料貯蔵ラック２４と同様に構成されている。
【００６４】
壁側ラックセル群７８は、壁部３４の内側面３４ａ側に配置された２列のラックセル５３で構成されている。壁側ラックセル群７８を構成する複数のラックセル５３には、核燃料棒５９が収容されていない。
収容用ラックセル群７９は、壁側ラックセル群７８よりも内側に配置された複数のラックセル５３で構成されている。収容用ラックセル群７９を構成する複数のラックセル５３には、それぞれ核燃料棒５９が収容されている。
【００６５】
次に、核燃料貯蔵ラック２９について説明する。核燃料貯蔵ラック２９は、壁部３３，３４の内側面３３ａ，３４ａと接触するように、壁部３３と壁部３４とが形成する角部に配置されている。核燃料貯蔵ラック２９は、Ｙ方向において核燃料貯蔵ラック２８と対向している。核燃料貯蔵ラック２９は、Ｘ方向において核燃料貯蔵ラック２６と対向している。
【００６６】
核燃料貯蔵ラック２９は、核燃料貯蔵ラック２４を構成する壁側ラックセル群５５及び収容用ラックセル群５６に替えて、壁側ラックセル群８１及び収容用ラックセル群８２を有すること以外は、核燃料貯蔵ラック２４と同様に構成されている。
【００６７】
壁側ラックセル群８１は、壁部３３，３４の内側面３３ａ，３４ａ側に配置された２列のラックセル５３で構成されている。壁側ラックセル群８１を構成する複数のラックセル５３には、核燃料棒５９が収容されていない。
収容用ラックセル群８２は、壁側ラックセル群８１よりも内側に配置された複数のラックセル５３で構成されている。収容用ラックセル群８２を構成する複数のラックセル５３には、それぞれ核燃料棒５９が収容されている。
【００６８】
上記構成とされた核燃料貯蔵ラック２１〜２９を含む核燃料貯蔵ラック群２０の側面は、核燃料貯蔵用ピット１１の壁部３１〜３４の内側面３１ａ〜３４ａと接触している。
【００６９】
上述した構成とされた第１の実施形態の核燃料貯蔵ラック２１〜２４，２６〜２９によれば、核燃料貯蔵用ピット１１の壁部３１〜３４の内側面３１ａ〜３４ａ側に配置され、壁部３１〜３４の内側面３１ａ〜３４ａと接触する壁側ラックセル群５５，６１，６４，６６，７２，７５，７８，８１を有することで、壁部３１〜３４の内側面３１ａ〜３４ａと壁側ラックセル群５５，６１，６４，６６，７２，７５，７８，８１の側面とを面接触させることが可能となる。これにより、簡便な構成で、核燃料貯蔵ラック２１〜２９の水平方向の移動、及び核燃料貯蔵ラック２１〜２９のロッキングの発生を抑制することができる。
【００７０】
また、壁側ラックセル群５５，６１，６４，６６，７２，７５，７８，８１の内側に配置された収容用ラックセル群５６，６２，６５，６７，７３，７６，７９，８２のみに使用済み核燃料棒５９を収容させ、壁側ラックセル群５５，６１，６４，６６，７２，７５，７８，８１に核燃料棒５９を収容させないことで、核燃料棒５９と核燃料貯蔵用ピット１１の壁部３１〜３４の内側面３１ａ〜３４ａとの距離を十分に確保することが可能となる。これにより、安全性を確保した上で、核燃料貯蔵用ピット１１の壁部３１〜３４の内側面３１ａ〜３４ａと壁側ラックセル群５５，６１，６４，６６，７２，７５，７８，８１とを接触させることができる。
【００７１】
図１では、核燃料貯蔵ラック２１〜２４，２６〜２９の一例として、壁部３１〜３４の内側面３１ａ〜３４ａに沿うように配列された２列のラックセル５３を用いて壁側ラックセル群５５，６１，６４，６６，７２，７５，７８，８１を構成した場合を例に挙げて説明したが、壁側ラックセル群５５，６１，６４，６６，７２，７５，７８，８１を構成するラックセル５３の列の数は、１列以上であればよく、これに限定されない。
【００７２】
複数の連結部材３０は、核燃料貯蔵ラック２１〜２９のうち、互いに隣り合うように配置された２つの核燃料貯蔵ラック間を接続するように複数設けられている。
具体的には、連結部材３０は、互いに隣り合うように配置された２つの上部支持格子４７の間、互いに隣り合うように配置された２つの中部支持格子４５の間、及び互いに隣り合うように配置された２つの下部支持格子４３の間にそれぞれ複数（図１の場合、一例として２つ）設けられている。連結部材３０は、Ｘ方向及びＹ方向に対して複数配置されている。
【００７３】
ここで、連結部材３０の構成について説明する。連結部材３０は、突出部９１，９２と、ボルト９３（或いは、ピン）と、を有する。
突出部９１は、互いに隣り合う位置に配置された２つの核燃料貯蔵ラック２１〜２９のうち、一方の核燃料貯蔵ラック（図４の場合、核燃料貯蔵ラック２５）の上部支持格子４７に設けられている。突出部９１は、他方の核燃料貯蔵ラック（図４の場合、核燃料貯蔵ラック２４）の上部支持格子４７に向かう方向に突出している。
【００７４】
突出部９１には、突出部９１を貫通するねじ穴９１Ａが複数設けられている。ねじ穴９１Ａには、ボルト９３のねじ部が螺合される。突出部９１は、平面とされた上面９１ａを有する。
【００７５】
なお、ボルト９３に替えて、ピンを用いてもよい。この場合には、ねじ穴９１Ａの替りに貫通穴を用いるとよい。
【００７６】
突出部９２は、互いに隣り合う位置に配置された２つの核燃料貯蔵ラック２１〜２９のうち、他方の核燃料貯蔵ラック（図４の場合、核燃料貯蔵ラック２４）の上部支持格子４７に設けられている。突出部９２は、一方の核燃料貯蔵ラック（図４の場合、核燃料貯蔵ラック２５）の上部支持格子４７に向かう方向に突出している。
突出部９２は、平面とされた下面９２ａを有する。突出部９２は、下面９２ａが突出部９１の上面９１ａと重なる高さ（言い換えれば、接触可能な高さ）に配置されている。
【００７７】
突出部９２には、突出部９２を貫通する貫通穴９２Ａが複数設けられている。貫通穴９２Ａには、ボルト９３のねじ部が挿入される。突出部９２は、ねじ穴９１Ａと貫通穴９２Ａとが重なる突出部９１上の位置に配置されている。
【００７８】
ボルト９３は、ねじ穴９１Ａに螺合されている。これにより、互いに隣り合う位置に配置された２つの核燃料貯蔵ラックの上部が連結される。
【００７９】
なお、第１の実施形態では、一例として、Ｘ方向に配置された核燃料貯蔵ラック間を連結する２つの連結部材３０を設けるとともに、Ｙ方向に配置された核燃料貯蔵ラック間を連結する２つの連結部材３０を設けた場合を例に挙げて説明したが、Ｘ方向及びＹ方向に対して、それぞれ３つ以上の連結部材３０を設けてもよいし、Ｘ方向及びＹ方向に対して、それぞれ１つの幅広形状とされた連結部材３０を設けてもよい。
【００８０】
このように、互いに隣り合う核燃料貯蔵ラック２１〜２９を連結する連結部材３０を有することで、核燃料貯蔵ラック２１〜２９が連結されるため、各核燃料貯蔵ラック２１〜２９がばらばらに移動することを抑制可能となる。
【００８１】
これにより、地震等の発生により、複数の核燃料貯蔵ラック２１〜２９（核燃料貯蔵ラック群２０）に滑りが生じた際、核燃料貯蔵ラック群２０の側面（言い換えれば、複数の核燃料貯蔵ラックの側面）を介することで、壁部３１〜３４の内側面３１ａ〜３４ａが押圧される。つまり、核燃料貯蔵用ピット１１の壁部３１〜３４の内側面３１ａ〜３４ａの特定の領域（狭い領域）のみに強い圧力が印加されることを抑制可能となるので、核燃料貯蔵用ピット１１の破損を抑制することができる。
【００８２】
第１の実施形態の核燃料貯蔵設備１０によれば、核燃料貯蔵用ピット１１の壁部３１〜３４の内側面３１ａ〜３４ａ側に配置され、壁部３１〜３４の内側面３１ａ〜３４ａと接触する壁側ラックセル群５５，６１，６４，６６，７２，７５，７８，８１を有することで、壁部３１〜３４により核燃料貯蔵ラック群２０のＸ方向及びＹ方向の位置を規制することが可能となる。これにより、簡便な構成で、核燃料貯蔵ラック２１〜２９の水平方向の移動、及び核燃料貯蔵ラック２１〜２９のロッキングの発生を抑制することができる。
【００８３】
また、壁側ラックセル群５５，６１，６４，６６，７２，７５，７８，８１の内側に配置された収容用ラックセル群５６，６２，６５，６７，７３，７６，７９，８２のみに使用済み核燃料棒５９を収容させることで、核燃料棒５９と核燃料貯蔵用ピット１１の壁部３１〜３４の内側面３１ａ〜３４ａとの距離を十分に確保することが可能となる。
これにより、安全性を確保した上で、核燃料貯蔵用ピット１１の壁部３１〜３４の内側面３１ａ〜３４ａと壁側ラックセル群５５，６１，６４，６６，７２，７５，７８，８１とを接触させることができる。
【００８４】
なお、第１の実施形態では、一例として、図４に示す構造とされた連結部材３０を例に挙げて説明したが、連結部材３０は、互いに隣り合う核燃料貯蔵ラック２１〜２９を連結可能な構造であればよく、図４に示す構造に限定されない。
【００８５】
また、第１の実施形態の核燃料貯蔵設備１０では、一例として、連結部材３０を有する場合を例に挙げて説明したが、本発明は、連結部材３０を介することなく、核燃料貯蔵ラック２１〜２９が直接接触する構造とされた核燃料貯蔵設備にも適用可能である。
このような構成とされた核燃料貯蔵設備では、隣接して配置された核燃料貯蔵ラック２１〜２９間の隙間を非常に小さくすることが可能となるので、耐震性を向上させることができる。
【００８６】
また、第１の実施形態では、核燃料貯蔵ラック２１〜２９が複数の脚部４１を有する場合を例に挙げて説明したが、複数の脚部４１に替えて、平板が底面３５ａと接触するような台座を用いてもよい。
【００８７】
また、第１の実施形態では、核燃料貯蔵ラック２１〜２９がそれぞれ外周板４８，４９を有する場合を例に挙げて説明したが、これに替えて、外周板４８，４９を備えていない複数の核燃料貯蔵ラックを用いてもよい。
【００８８】
（第２の実施形態）
図５を参照して、第２の実施形態の核燃料貯蔵設備１００について説明する。図５において、図１に示す構造物と同一構成部分には、同一符号を付す。
【００８９】
第２の実施形態の核燃料貯蔵設備１００は、第１の実施形態の核燃料貯蔵設備１０を構成する核燃料貯蔵ラック２１〜２４，２６〜２９に替えて、核燃料貯蔵ラック１１１〜１１４，１１６〜１１９を有するとともに、さらに構造物１０１〜１０６を備えること以外は、核燃料貯蔵設備１０と同様な構成とされている。
核燃料貯蔵ラック２５，１１１〜１１４，１１６〜１１９は、核燃料貯蔵ラック群１１０を構成している。
【００９０】
構造物１０１〜１０６は、核燃料貯蔵用ピット１１内に設けられている。構造物１０１は、核燃料貯蔵ラック１１１の配置領域に対応する壁部３２の内側面３２ａに設けられている。構造物１０２は、核燃料貯蔵ラック１１２の配置領域に対応する壁部３２の内側面３２ａに設けられている。構造物１０３は、核燃料貯蔵ラック１１３の配置領域に対応する壁部３２の内側面３２ａに設けられている。
【００９１】
構造物１０４は、核燃料貯蔵ラック１１７の配置領域に対応する壁部３４の内側面３４ａに設けられている。構造物１０５は、核燃料貯蔵ラック１１８の配置領域に対応する壁部３４の内側面３４ａに設けられている。構造物１０６は、核燃料貯蔵ラック１１９の配置領域に対応する壁部３４の内側面３４ａに設けられている。
【００９２】
核燃料貯蔵ラック１１１は、核燃料貯蔵ラック２１を構成する壁側ラックセル群６１に構造物１０１を避ける切欠き部１１１Ａを設けたこと以外は、核燃料貯蔵ラック２１と同様に構成されている。壁側ラックセル群６１は、構造物１０１から離間した位置に配置されている。壁側ラックセル群６１と構造物１０１との間には、隙間が形成されている。
【００９３】
核燃料貯蔵ラック１１２は、核燃料貯蔵ラック２２を構成する壁側ラックセル群６４に構造物１０２を避ける切欠き部１１２Ａを設けたこと以外は、核燃料貯蔵ラック２２と同様に構成されている。これにより、壁側ラックセル群６４は、構造物１０２から離間した位置に配置されている。壁側ラックセル群６４と構造物１０２との間には、隙間が形成されている。
【００９４】
核燃料貯蔵ラック１１３は、核燃料貯蔵ラック２３を構成する壁側ラックセル群６６に構造物１０３を避ける切欠き部１１３Ａを設けたこと以外は、核燃料貯蔵ラック２３と同様に構成されている。これにより、壁側ラックセル群６６は、構造物１０３から離間した位置に配置されている。壁側ラックセル群６６と構造物１０３との間には、隙間が形成されている。
【００９５】
核燃料貯蔵ラック１１７は、核燃料貯蔵ラック２７を構成する壁側ラックセル群７５に構造物１０４を避ける切欠き部１１７Ａを設けたこと以外は、核燃料貯蔵ラック２７と同様に構成されている。これにより、壁側ラックセル群７５は、構造物１０４から離間した位置に配置されている。壁側ラックセル群７５と構造物１０４との間には、隙間が形成されている。
【００９６】
核燃料貯蔵ラック１１８は、核燃料貯蔵ラック２８を構成する壁側ラックセル群７８に構造物１０５を避ける切欠き部１１８Ａを設けたこと以外は、核燃料貯蔵ラック２８と同様に構成されている。これにより、壁側ラックセル群７８は、構造物１０５から離間した位置に配置されている。壁側ラックセル群７８と構造物１０５との間には、隙間が形成されている。
【００９７】
核燃料貯蔵ラック１１９は、核燃料貯蔵ラック２９を構成する壁側ラックセル群８１に構造物１０６を避ける切欠き部１１９Ａを設けたこと以外は、核燃料貯蔵ラック２９と同様に構成されている。これにより、壁側ラックセル群８１は、構造物１０６から離間した位置に配置されている。壁側ラックセル群８１と構造物１０６との間には、隙間が形成されている。
【００９８】
第２の実施形態の核燃料貯蔵設備１００によれば、壁側ラックセル群５５，６１，６４，６６，７２，７５，７８，８１が切欠き部１１１Ａ〜１１３Ａ，１１７Ａ〜１１９Ａを有することで、壁部３１〜３４の内側面３１ａ〜３４ａに構造物１０１〜１０６が設けられている場合でも構造物１０１〜１０６を避けて、壁側ラックセル群５５，６１，６４，６６，７２，７５，７８，８１の側面と壁部３１〜３４の内側面３１ａ〜３４ａとを接触させることができる。
なお、第２の実施形態の核燃料貯蔵設備１００は、第１の実施形態の核燃料貯蔵設備１０と同様な効果を得ることができる。
【００９９】
（第３の実施形態）
図６を参照して、第３の実施形態の核燃料貯蔵設備１２５について説明する。図５において、図１に示す構造物と同一構成部分には、同一符号を付す。なお、第３の実施形態では、弾性体の一例として、皿ばね１２７を例に挙げて説明する。
【０１００】
第３の実施形態の核燃料貯蔵設備１２５は、第１の実施形態の核燃料貯蔵設備１０の構成に、さらに複数の皿ばね１２７を有すること以外は、核燃料貯蔵設備１０と同様に構成されている。
【０１０１】
皿ばね１２７は、互いに隣り合う核燃料貯蔵ラック２１〜２９の間に複数配置されている。皿ばね１２７は、Ｘ方向及びＹ方向に配列されている。
【０１０２】
第３の実施形態の核燃料貯蔵設備１２５によれば、互いに隣り合う核燃料貯蔵ラック２１〜２９の間に配置された複数の皿ばね１２７を有することで、核燃料貯蔵用ピット１１の壁部３１〜３４の内側面３１ａ〜３４ａに対して壁側ラックセル群５５，６１，６４，６６，７２，７５，７８，８１の側面が押圧された状態を維持することが可能となる。
【０１０３】
これにより、核燃料貯蔵用ピット１１の壁部３１〜３４の内側面３１ａ〜３４ａと壁側ラックセル群５５，６１，６４，６６，７２，７５，７８，８１との間に隙間が形成されることを抑制できる。
特に、核燃料貯蔵ラック２１〜２９が熱伸びを有する場合には、複数の皿ばね１２７で熱伸びを吸収することが可能となり、有効である。
【０１０４】
また、皿ばね１２７は、狭いスペースにも配置しやすく、かつ交換しやすいため、メンテナンス性を向上できる。
【０１０５】
なお、第３の実施形態では、弾性体の一例として、皿ばね１２７を例に挙げて説明したが、皿ばね１２７に替えて、他の弾性体を用いてもよい。他の弾性体としては、例えば、ゴム、板バネ、コイルばね等を例示することが可能である。
【０１０６】
また、第３の実施形態では、複数の皿ばね１２７を用いた場合を例に挙げて説明したが、複数の皿ばね１２７に替えて、複数のスペーサを用いてもよい。複数のスペーサを用いる場合、核燃料貯蔵ラック２１〜２９が熱伸び後に、複数のスペーサを配置させるとよい。この場合、第３の実施形態の核燃料貯蔵設備１２５と同様な効果を得ることができる。
【０１０７】
（第４の実施形態）
図７を参照して、第４の実施形態の核燃料貯蔵ラック１３０について説明する。図７では、図１に示す構造物と同一構成部分には、同一符号を付す。
【０１０８】
第４の実施形態の核燃料貯蔵ラック１３０は、第１の実施形態で説明した核燃料貯蔵ラック２１を構成する壁側ラックセル群６１と収容用ラックセル群６２とを別体とし、収容用ラックセル群６２に対して壁側ラックセル群６１を着脱する複数の着脱部材１３１を有すること以外は、核燃料貯蔵ラック２１と同様に構成されている。
【０１０９】
着脱部材１３１は、壁側ラックセル群６１と収容用ラックセル群６２との間に複数設けられている。着脱部材１３１は、Ｘ方向及びＹ方向に複数（図７の場合、一例として２つ）配列されている。
着脱部材１３１としては、例えば、図４に示す連結部材３０と同様な構造のものを用いることができるが、これに限定されない。着脱部材１３１としては、例えば、差し込み構造とされた部材を用いてもよい。
【０１１０】
（第５の実施形態）
図８を参照して、第５の実施形態の核燃料貯蔵設備１４０について説明する。図８では、図１に示す構造物と同一構成部分には、同一符号を付す。
【０１１１】
第５の実施形態の核燃料貯蔵設備１４０は、第１の実施形態の核燃料貯蔵設備１０を構成する核燃料貯蔵ラック２１〜２４，２６〜２９に替えて、核燃料貯蔵ラック１４１〜１４４，１４６〜１４９を有するとともに、さらに、複数の放射線遮蔽部材１５０を備えること以外は、核燃料貯蔵設備１０と同様な構成とされている。
【０１１２】
核燃料貯蔵ラック１４１は、核燃料貯蔵ラック２１を構成する壁側ラックセル群６１及び収容用ラックセル群６２に替えて、壁側ラックセル群１５１及び収容用ラックセル群１５２を有すること以外は、核燃料貯蔵ラック２１と同様に構成されている。
【０１１３】
壁側ラックセル群１５１は、壁部３１，３２の内側面３１ａ，３２ａに沿って配置された１列のラックセル５３で構成されている。壁側ラックセル群１５１の側面は、壁部３１，３２の内側面３１ａ，３２ａと接触している。
【０１１４】
収容用ラックセル群１５２は、壁側ラックセル群１５１の内側に配置された複数のラックセル５３で構成されている。収容用ラックセル群１５２は、収容用ラックセル群６２よりも壁部３１，３２に近い位置に配置されている。収容用ラックセル群１５２を構成する複数のラックセル５３には、それぞれ核燃料棒５９が収容されている。
【０１１５】
核燃料貯蔵ラック１４２は、核燃料貯蔵ラック２２を構成する壁側ラックセル群６４及び収容用ラックセル群６５に替えて、壁側ラックセル群１５３及び収容用ラックセル群１５４を有すること以外は、核燃料貯蔵ラック２２と同様に構成されている。
【０１１６】
壁側ラックセル群１５３は、壁部３２の内側面３２ａに沿って配置された１列のラックセル５３で構成されている。壁側ラックセル群１５３の側面は、壁部３２の内側面３２ａと接触している。
【０１１７】
収容用ラックセル群１５４は、壁側ラックセル群１５３の内側に配置された複数のラックセル５３で構成されている。収容用ラックセル群１５４は、収容用ラックセル群６５よりも壁部３２に近い位置に配置されている。収容用ラックセル群１５４を構成する複数のラックセル５３には、それぞれ核燃料棒５９が収容されている。
【０１１８】
核燃料貯蔵ラック１４３は、核燃料貯蔵ラック２３を構成する壁側ラックセル群６６及び収容用ラックセル群６７に替えて、壁側ラックセル群１５５及び収容用ラックセル群１５６を有すること以外は、核燃料貯蔵ラック２３と同様に構成されている。
【０１１９】
壁側ラックセル群１５５は、壁部３２，３３の内側面３２ａ，３３ａに沿って配置された１列のラックセル５３で構成されている。壁側ラックセル群１５５の側面は、壁部３２，３３の内側面３２ａ，３３ａと接触している。
【０１２０】
収容用ラックセル群１５６は、壁側ラックセル群１５５の内側に配置された複数のラックセル５３で構成されている。収容用ラックセル群１５６は、収容用ラックセル群６７よりも壁部３２，３３に近い位置に配置されている。収容用ラックセル群１５６を構成する複数のラックセル５３には、それぞれ核燃料棒５９が収容されている。
【０１２１】
核燃料貯蔵ラック１４４は、核燃料貯蔵ラック２４を構成する壁側ラックセル群５５及び収容用ラックセル群５６に替えて、壁側ラックセル群１５８及び収容用ラックセル群１５９を有すること以外は、核燃料貯蔵ラック２４と同様に構成されている。
【０１２２】
壁側ラックセル群１５８は、壁部３１の内側面３１ａに沿って配置された１列のラックセル５３で構成されている。壁側ラックセル群１５８の側面は、壁部３１の内側面３１ａと接触している。
【０１２３】
収容用ラックセル群１５９は、壁側ラックセル群１５８の内側に配置された複数のラックセル５３で構成されている。収容用ラックセル群１５９は、収容用ラックセル群５６よりも壁部３１に近い位置に配置されている。収容用ラックセル群１５９を構成する複数のラックセル５３には、それぞれ核燃料棒５９が収容されている。
【０１２４】
核燃料貯蔵ラック１４６は、核燃料貯蔵ラック２６を構成する壁側ラックセル群７２及び収容用ラックセル群７３に替えて、壁側ラックセル群１６１及び収容用ラックセル群１６２を有すること以外は、核燃料貯蔵ラック２６と同様に構成されている。
【０１２５】
壁側ラックセル群１６１は、壁部３３の内側面３３ａに沿って配置された１列のラックセル５３で構成されている。壁側ラックセル群１６１の側面は、壁部３３の内側面３３ａと接触している。
【０１２６】
収容用ラックセル群１６２は、壁側ラックセル群１６１の内側に配置された複数のラックセル５３で構成されている。収容用ラックセル群１６２は、収容用ラックセル群７３よりも壁部３３に近い位置に配置されている。収容用ラックセル群１６２を構成する複数のラックセル５３には、それぞれ核燃料棒５９が収容されている。
【０１２７】
核燃料貯蔵ラック１４７は、核燃料貯蔵ラック２７を構成する壁側ラックセル群７５及び収容用ラックセル群７６に替えて、壁側ラックセル群１６３及び収容用ラックセル群１６４を有すること以外は、核燃料貯蔵ラック２７と同様に構成されている。
【０１２８】
壁側ラックセル群１６３は、壁部３１，３４の内側面３１ａ，３４ａに沿って配置された１列のラックセル５３で構成されている。壁側ラックセル群１６３の側面は、壁部３１，３４の内側面３１ａ，３４ａと接触している。
【０１２９】
収容用ラックセル群１６４は、壁側ラックセル群１６３の内側に配置された複数のラックセル５３で構成されている。収容用ラックセル群１６４は、収容用ラックセル群７６よりも壁部３１，３４に近い位置に配置されている。収容用ラックセル群１６４を構成する複数のラックセル５３には、それぞれ核燃料棒５９が収容されている。
【０１３０】
核燃料貯蔵ラック１４８は、核燃料貯蔵ラック２８を構成する壁側ラックセル群７８及び収容用ラックセル群７９に替えて、壁側ラックセル群１６５及び収容用ラックセル群１６６を有すること以外は、核燃料貯蔵ラック２８と同様に構成されている。
【０１３１】
壁側ラックセル群１６５は、壁部３４の内側面３４ａに沿って配置された１列のラックセル５３で構成されている。壁側ラックセル群１６５の側面は、壁部３４の内側面３４ａと接触している。
【０１３２】
収容用ラックセル群１６６は、壁側ラックセル群１６５の内側に配置された複数のラックセル５３で構成されている。収容用ラックセル群１６６は、収容用ラックセル群７９よりも壁部３４に近い位置に配置されている。収容用ラックセル群１６６を構成する複数のラックセル５３には、それぞれ核燃料棒５９が収容されている。
【０１３３】
核燃料貯蔵ラック１４９は、核燃料貯蔵ラック２９を構成する壁側ラックセル群８１及び収容用ラックセル群８２に替えて、壁側ラックセル群１６７及び収容用ラックセル群１６８を有すること以外は、核燃料貯蔵ラック２９と同様に構成されている。
【０１３４】
壁側ラックセル群１６７は、壁部３３，３４の内側面３３ａ，３４ａに沿って配置された１列のラックセル５３で構成されている。壁側ラックセル群１６７の側面は、壁部３３，３４の内側面３３ａ，３４ａと接触している。
【０１３５】
収容用ラックセル群１６８は、壁側ラックセル群１６７の内側に配置された複数のラックセル５３で構成されている。収容用ラックセル群１６８は、収容用ラックセル群８２よりも壁部３３，３４に近い位置に配置されている。収容用ラックセル群１６８を構成する複数のラックセル５３には、それぞれ核燃料棒５９が収容されている。
【０１３６】
上記構成とされた核燃料貯蔵ラック２５，１４１〜１４４，１４６〜１４９は、Ｘ方向及びＹ方向に配置された複数の連結部材３０により連結されている。
【０１３７】
放射線遮蔽部材１５０は、壁側ラックセル群１５１，１５３，１５５，１５８，１６１，１６３，１６５，１６７を構成する各ラックセル５３内に収容されている。
放射線遮蔽部材１５０は、核燃料棒５９から放出される放射線を遮蔽する機能を有する。放射線遮蔽部材１５０としては、例えば、放射線を遮蔽する材料で構成された棒状の部材を用いることが可能である。放射線遮蔽部材１５０としては、例えば、鉛等の金属材料を用いることが可能である。
【０１３８】
第５の実施形態の核燃料貯蔵設備１４０によれば、壁側ラックセル群１５１，１５３，１５５，１５８，１６１，１６３，１６５，１６７を構成する複数のラックセル５３に配置された放射線遮蔽部材１５０を有することで、核燃料棒５９（使用済み核燃料）から放出される放射線を遮蔽することが可能となる。
【０１３９】
これにより、核燃料貯蔵用ピット１１の壁部３１〜３４の内側面３１ａ〜３４ａか収容用ラックセル群１５２，１５４，１５６，１５９，１６２，１６４，１６６，１６８に向かう方向に配置された壁側ラックセル群１５１，１５３，１５５，１５８，１６１，１６３，１６５，１６７を構成するラックセル５３の数を少なくすることが可能となる。
つまり、収容用ラックセル群１５２，１５４，１５６，１５９，１６２，１６４，１６６，１６８を構成するラックセル５３の数を増加させることが可能となる。これにより、収容用ラックセル群１５２，１５４，１５６，１５９，１６２，１６４，１６６，１６８に収容可能な使用済み核燃料棒５９の数を増加させることができる。
【０１４０】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。
【０１４１】
なお、第１〜第３の実施形態、及び第５の実施形態の核燃料貯蔵設備１０，１００，１２５，１４０では、一例として、連結された９つの核燃料貯蔵ラックで核燃料貯蔵ラック群２０を構成した場合を例に挙げて説明したが、核燃料貯蔵ラック群２０を構成する核燃料貯蔵ラックの数は、核燃料貯蔵ラックの外形の大きさや核燃料貯蔵用ピット１１の大きさに応じて適宜設定することが可能であり、９つに限定されない。
【符号の説明】
【０１４２】
１０，１００，１２５，１４０…核燃料貯蔵設備、１１…核燃料貯蔵用ピット、２０，１１０…核燃料貯蔵ラック群、２１〜２９，１１１〜１１４，１１６〜１１９，１３０，１４１〜１４４，１４６〜１４９…核燃料貯蔵ラック、３０…連結部材、３１〜３４…壁部、３１ａ〜３４ａ…内側面、３５…底部、３５ａ…底面、３６…水、４０…ベースプレート、４１…脚部、４３…下部支持格子、４５…中部支持格子、４７…上部支持格子、４８，４９…外周板、５３…ラックセル、５５，６１，６４，６６，７２，７５，７８，８１，１５１，１５３，１５５，１５８，１６１，１６３，１６５，１６７…壁側ラックセル群、５６，６２，６５，６７，６９，７３，７６，７９，８２，１５２，１５４，１５６，１５９，１６２，１６４，１６６，１６８…収容用ラックセル群、５９…核燃料棒、
９１，９２…突出部、９３…ボルト、９１Ａ…ねじ穴、９１ａ…上面、９２ａ…下面、９２Ａ…貫通穴、１０１〜１０６…構造物、１１１Ａ〜１１３Ａ，１１７Ａ〜１１９Ａ…切欠き部、１２７…皿ばね、１３１…着脱部材、１５０…放射線遮蔽部材
【図１】
2019007792.tif 000003
【図２】
2019007792.tif 000004
【図３】
2019007792.tif 000005
【図４】
2019007792.tif 000006
【図５】
2019007792.tif 000007
【図６】
2019007792.tif 000008
【図７】
2019007792.tif 000009
【図８】
2019007792.tif 000010